(57)【要約】      （修正有）【課題】魚釣り具の浮きに係わり、浮力の大きさと傾斜角度を調整可能な調整式浮きを提供する。【解決手段】調整式浮きは、蓋体１、浮き本体２を備え、蓋体１は内側に少なくとも１個の弾性部品１２を設置する。浮き本体２は一端に少なくとも１個の収容設置槽２２を開設し、収容設置槽２２は弾性部品１２と相互に対応する。収容設置槽２２は弾性部品１２を嵌めて組合わせることができ、収容設置槽２２は錘部品を収容設置することができる。使用者は錘部品を浮き本体２の収容設置槽２２内に入れ、理想的な重心状態に浮きを調整できる。調整を最適な状態にした後、蓋体１内の弾性部品１２を浮き本体２の収容設置槽２２内に嵌め入れ、錘部品を圧迫して緊密に固定する。【選択図】図３
0003182375.tif 000002
【実用新案登録請求の範囲】
【請求項１】
蓋体、浮き本体を備え、
前記蓋体は内側に少なくとも１個の弾性部品を設置し、前記蓋体内側外縁には第一組合せ構造を備え、
前記浮き本体は一端に少なくとも１個の収容設置槽を開設し、前記収容設置槽は前記弾性部品と相互に対応し、前記収容設置槽は前記弾性部品を嵌めて組合わせることができ、前記収容設置槽は錘部品を収容設置することができ、前記浮き本体は前記収容設置槽を開設する一端の側縁に第二組合せ構造を備え、前記第二組合せ構造は前記蓋体の第一組合せ構造と相互に対応し、前記第二組合せ構造は前記第一組合せ構造と相互に組み合わされ、  前記蓋体と前記浮き本体内には空気室を備え糸道を貫通状に設置し、前記糸道は前記蓋体と前記浮き本体を貫通し、前記糸道は前記蓋体の第一穿孔と第二穿孔、及び前記浮き本体の第三穿孔及び第四穿孔において開口部を持つことを特徴とする調整式浮き。
【請求項２】
前記弾性部品はバネであることを特徴とする請求項１に記載の調整式浮き。
【請求項３】
前記第一組合せ構造はフランジで、前記第二組合せ構造は凹縁であることを特徴とする請求項１に記載の調整式浮き。
【請求項４】
前記錘部品は鉛の球であることを特徴とする請求項１に記載の調整式浮き。
【請求項５】
前記蓋体の第一組合せ構造と前記浮き本体の第二組合せ構造との間、及び前記蓋体の第二穿孔と前記浮き本体の第三穿孔との間にはさらに、密封部品を増設することを特徴とする請求項１に記載の調整式浮き。
【請求項６】
前記密封部品は、ゴムパッキンであることを特徴とする請求項５に記載の調整式浮き。
【考案の詳細な説明】
【技術分野】
【０００１】
本考案は魚釣り具の浮きに係わり、独特の構造設計により、浮力の大きさと傾斜角度を調整可能な浮きに関する。
【背景技術】
【０００２】
浮きの種類は大きく次の三種に分けられる。
第一種は、円錐浮きで、阿波浮き、丹錐浮きとも呼ばれる。
第二種は、唐辛子浮きである。
第三種は、水中浮きである。
円錐浮き、唐辛子浮きは型番号に分けられ、各型番号は小(軽)から大(重)まであり、一般には８等級に分かれる。
等級はアルファベットのＢを用い、１Ｂ、２Ｂ、３Ｂから８Ｂまであり、同一型番号中に大きさが異なる８種の浮きがあることを示している。
これにより使用者は釣りをする時に、釣りセット、水の状況、魚の状況に応じて、適当な浮きを選択して用いることができる。
【０００３】
上記した三種の浮きの材質には、桐の木、杉の木、バルサ材、工業用プラスチックなどがある。
錘は一般に、鋳銅部品を用い堅固に粘着させ、海水に浸かってサビが生じることを防止する。
一般に、浮きの上半部は、鮮やかな蛍光赤色などに塗られ目立つようになっており、波打つ水面においても動きがはっきりと分かるようになっている。
これにより使用者は、魚が餌に食いついた後に浮きに反映される魚の動きをはっきりと観察することができる。
【０００４】
図１に示すように、一般の丹錐浮き９は、波立つ水中で安定的に直立することができる、としばしば謳われている。
これにより、使用者が魚釣りを行う時には、釣り糸全体が魚釣りに不向きなＺ字型にならないようにすることができる。
Ｚ字型になると、釣竿と釣り糸のコントロール、釣り針の水深の掌握、餌を揺らして魚を誘い魚の動きを伝達するなどの魚釣りすべての感覚操作にマイナスの影響がでる。
またもし、丹錐浮き９が少しも揺れ動かずに漂流し、随時直立位置を保持するとすると、その敏感度は必然的に低下する。
直立位置は、傾斜状を呈する主糸７の位置と対応できないため、有効な引力の損失を招いてしまう。
これにより、丹錐浮き９の力は減少し、敏感度も低下してしまう。
もし、丹錐浮き９が起き上がりこぼしのように絶えず揺れ動くとすると、使用者の魚の動きに対する正確な判断に影響を及ぼし、魚釣りの醍醐味であるあわせに必要な敏感性も低下してしまう。
よって、安定性は高すぎても低すぎても良くなく、適度な揺れ動き具合でなければ、ちょうど良いとはいえない。
【０００５】
上記に鑑み、「斜丹錐」が開発された。
それは、その安定性について考慮する必要がないばかりか、魚の餌への食いつき力を直接、スムーズに、低摩擦で、損失無く伝達し、入水性も良いため、敏感度もより高い。
また、流れの緩急に応じて、傾斜６０°、４５°、３０°のものを選択することができる。
しかし、水の状況と魚の状況の変化は多様であるため、それぞれの水の状況と魚の状況に合わせて、専用の丹錐浮きを使用しようとするなら、非常に多くの種類の丹錐浮き９を準備しなければならない。
すなわち、使用者は各タイプの丹錐浮き９を購入する必要があり、しかも携帯と交換という面でも非常に面倒で、使用において不便で、かつ不経済である。
本考案は、従来の丹錐浮きの上記した欠点に鑑みてなされたものである。
【考案の概要】
【考案が解決しようとする課題】
【０００６】
本考案が解決しようとする課題は、独特の構造設計により、浮力の大きさと傾斜角度を調整可能な調整式浮きを提供することである。
【課題を解決するための手段】
【０００７】
上記課題を解決するため、本考案は下記の調整式浮きを提供する。
調整式浮きは蓋体、浮き本体を備え、該蓋体は内側に少なくとも１個の弾性部品を設置し、該蓋体内側外縁には第一組合せ構造を備える。
該浮き本体は一端に少なくとも１個の収容設置槽を開設し、該収容設置槽は該弾性部品と相互に対応し、該収容設置槽は該弾性部品を嵌めて組合わせることができる。
該収容設置槽は錘部品を収容設置することができ、該弾性部品は該錘部品を押さえることができる。
これにより該錘部品は該収容設置槽内で固定され、外力により該収容設置槽内で揺れ動くことがないため調整式浮きの水中での重心安定性に影響が及ぶことが無い。
該浮き本体は該収容設置槽を開設する一端の側縁に第二組合せ構造を備え、該第二組合せ構造は該蓋体の第一組合せ構造と相互に対応し、該第二組合せ構造は該第一組合せ構造と相互に組み合わされる。
該蓋体と該浮き本体内には空気室を備え、該空気室により調整式浮きは充分な浮力を得て水面上に浮かぶことができる。
該蓋体と該浮き本体内には糸道を貫通状に設置し、該糸道は該蓋体と該浮き本体を貫通する。
該糸道は該蓋体の第一穿孔と第二穿孔及び該浮き本体の第三穿孔及び第四穿孔において開口部を持つ。
該糸道は釣り糸の主糸を該第一穿孔より該第二穿孔及び該第三穿孔を経由して、該第四穿孔まで貫通させる。
使用者が本考案を用いて釣りを行う時には、水の状況、魚の状況、或いは個人の好みに応じて該錘部品を該浮き本体の収容設置槽内に入れ、該浮き本体を理想的な重心状態に調整することができる。
調整が最適な状態となったら該蓋体内の弾性部品を該浮き本体の収容設置槽内に嵌め、該錘部品を圧迫して緊密に固定し、該第一組合せ構造及び該第二組合せ構造により該蓋体及び該浮き本体を相互に組合せる。
次に主糸及び子糸を調整式浮きの糸道に通し、最後に他の部品を組合わせて調整後、釣りを始めることができる。
【考案の効果】
【０００８】
本考案の調整式浮きは、使用者が随時随意に浮き方の深度や、直立或いは傾斜、さらには傾斜角度までを自ら設定して調整でき、しかも構造は簡単で耐用性が高いため経済的で、金型化に適し製造も容易で大量生産の条件に合っており大変理想的な構造となっている。
【図面の簡単な説明】
【０００９】
【図１】従来の丹錐浮きの実施状態を示す立体外観図である。
【図２】本考案の立体外観図である。
【図３】本考案の断面構造図である。
【図４】本考案の実施状態を示す断面構造図である。
【図５】本考案の別種の実施状態を示す断面構造図である。
【図６】本考案のさらに別種の実施状態を示す断面構造図である。
【図７】本考案のまたさらに別種の実施状態を示す断面構造図である。
【考案を実施するための形態】
【００１０】
以下に図面を参照しながら本考案を実施するための最良の形態について詳細に説明する。
【実施例】
【００１１】
図２〜４に示すように、本考案の調整式浮きは、蓋体１、浮き本体２を備える。
【００１２】
蓋体１内側には少なくとも１個の弾性部品１２を設置する。
弾性部品１２はバネで、蓋体１内側外縁には、第一組合せ構造１１を備える。
第一組合せ構造１１はフランジである。
【００１３】
浮き本体２は一端に少なくとも１個の収容設置槽２２を開設する。
収容設置槽２２は弾性部品１２と相互に対応し、収容設置槽２２は弾性部品１２を嵌めて組合わせることができる。
収容設置槽２２は錘部品４を収容設置することができる。
弾性部品１２は錘部品４を押さえ、これにより錘部品４は収容設置槽２２内に固定され、水流或いは他の外力の影響を受けても、収容設置槽２２内で揺れ動くことがなく、調整式浮きの水中での重心安定性に影響が及ぶことはない。
【００１４】
錘部品４は鉛の球である。
浮き本体２は収容設置槽２２を開設する一端の側縁に第二組合せ２１構造を備える。
第二組合せ構造２１は蓋体１の第一組合せ構造１１と相互に対応する。
第二組合せ構造２１は第一組合せ構造１１と相互に組み合わされる。
第二組合せ構造２１は凹縁である。
【００１５】
蓋体１と浮き本体２内には空気室３を備える。
空気室３により調整式浮きは、充分な浮力を得て水面上に浮かぶことができる。
蓋体１と浮き本体２内には、糸道１１１を貫通状に設置する。
【００１６】
糸道１１１は蓋体１と浮き本体２を貫通する。
糸道１１１は蓋体１の第一穿孔１０と第二穿孔１００、及び浮き本体２の第三穿孔２０及び第四穿孔２００において開口部を持つ。
糸道１１１は釣り糸の主糸７を第一穿孔１０より、第二穿孔１００及び第三穿孔２０を経由して、第四穿孔２００まで貫通させる。
【００１７】
蓋体１の第一組合せ構造１１及び浮き本体２の第二組合せ構造２１との間、及び蓋体１の第二穿孔１００及び浮き本体２の第三穿孔２０との間にはさらに、密封部品(図示なし)を増設する。
密封部品はゴムパッキンで、密封部品により第一組合せ構造１１と第二組合せ構造２１、第二穿孔１００と第三穿孔２０との間隙を密封することができる。
これにより組合せをより緊密にし、調整式浮き内に水分が進入しないようにし、水分による調整式浮き内の構成部材への侵蝕(弾性部品がさびるなど)を防止することができる。
水分が調整式浮き内の構成部材を侵蝕すれば、調整式浮きの使用寿命を短縮してしまい、或いは進水により調整式浮きの重心に影響を及ぼせば、重心が初期設定とずれが発生し釣りの効率に影響を与えてしまう。
【００１８】
図２〜５に示すように、使用者は本考案を用いて釣りを行う時には、水の状況、魚の状況、或いは個人の好みに応じて、錘部品４を浮き本体２の収容設置槽２２内に入れる。
これにより浮き本体２を理想的な重心状態に調整する。
調整が最適な状態となったら、蓋体１内の弾性部品１２を浮き本体２の収容設置槽２２内に嵌め、錘部品４を圧迫して緊密に固定する。
並びに、第一組合せ構造１１及び第二組合せ構造２１により、蓋体１及び浮き本体２を相互に組合せる。
次に、浮き止め５とシモリ玉６を配置する主糸７及び子糸７１を、調整式浮きの糸道１１１に通す。
最後に、他の部品を組合わせて調整後、釣りを始めることができる。
【００１９】
図３、５に示すように、浮き本体２には四箇所の収容設置槽２２を設置する。
錘部品４は鉛球を例とする。
使用者が調整式浮きを水面８において直立させて浮かせたい場合、四箇所の収容設置槽２２内に平均にそれぞれ１個の鉛球を入れる。
これにより錘は軽くバランスがとれ、調整式浮きは水面８において直立して浮くことができる。
水面８に直立して浮かせることで、調整式浮きをはっきりと見ることができ、可視性に優れた錘方式である。
【００２０】
図５、６に示すように、使用者が調整式浮きを直立させて水面８に沈め、蓋体１の表面のみを露出させようとする場合、四箇所の収容設置槽２２内に平均に各３個の鉛球を入れる。
これにより錘は比較的重くなるため、調整式浮きの本体の大部分は水面８下に沈み、蓋体１の表面のみが水面８に露出するようになる。
このような深く沈んだ状態では、調整式浮きはわずかに下方へと引っ張られただけでも、直ちに水中に没するため敏感度は極めて高くなる。
使用者は水中に瞬間的に没する調整式浮きにより、魚の動きを正確に判断することができる。
【００２１】
図５、７に示すように、使用者が調整式浮きを水面８に傾いた状態で浮かせようとする場合、四箇所の収容設置槽２２内の一箇所に２個の鉛球を入れる。
錘が一箇所だけになることで、調整式浮きは水面８において自然に傾斜状を呈する。
調整式浮きが傾斜状を呈する時には、釣り糸の主糸７及び子糸７１は、調整式浮きとの間で魚釣りに不向きな「Ｚ」字型を呈することはなくなる。
これにより、魚が餌に食いついた力の伝達がより直接的、迅速になるだけでなく、主糸７と糸道１１１とが摩擦することで、魚の動きの伝達が低下する状況が発生することはない。
そのため、使用者は傾斜した調整式浮きの傾斜方向を観察することで、水流の二相流の影響を受けているかどうか、或いは釣り道具が水流に従い針が最前線にあり、浮きが後ろに従う理にかなった状態になっているかどうかを判断することができる。
【００２２】
上記したように使用者は錘により、調整式浮きの傾斜角度をフレキシブルに調整することができる。
こうして使用者は変化が多様な水の状況と魚の状況のために頭を悩ませる必要はなくなり、各種釣りの状況に応じて、各種高価な円錐浮きを購入する必要もなくなる。
すなわち本考案の調整式浮きが一個あるだけで、変幻自在な各種状況に対応することができ、しかも使用は簡単で、操作も容易、経済的で携帯にも便利であるため、手軽に釣りに出発することができる。
【００２３】
本考案の調整式浮きは自由に調整可能であるという特性を備え、これまでの面倒な各種浮きに簡単に置換できるため、浮き製品の生産量を効果的に低下させることができる。
これにより廃棄される浮きを間接的に減らすことができるため、ゴミの減量にも貢献でき、環境にやさしいという効果も達成することができる。
【００２４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２５】
１    蓋体
１０  第一穿孔
１１  第一組合せ構造
１２  弾性部品
１００  第二穿孔
１１１  糸道
２    浮き本体
２０  第三穿孔
２１  第二組合せ構造
２２  収容設置槽
２００  第四穿孔
３    空気室
４    錘部品
５    浮き止め
６    シモリ玉
７    主糸
７１  子糸
８    水面
【図１】
0003182375.tif 000003
【図２】
0003182375.tif 000004
【図３】
0003182375.tif 000005
【図４】
0003182375.tif 000006
【図５】
0003182375.tif 000007
【図６】
0003182375.tif 000008
【図７】
0003182375.tif 000009